(57)【要約】【課題】インターネットファクシミリ装置の記憶装置の大容量化を抑えつつ、より高い機密性を実現したセキュアプリントを行うインターネットファクシミリ装置、クライアントＰＣを提供する。【解決手段】ネットワーク上に配置されたいずれかのクライアントＰＣなどの記憶装置においてユーザ別に設けたフォルダに印刷データを記憶する。インターネットファクシミリ装置１に入力されたユーザＩＤによって当該ユーザのフォルダを特定する。さらに、パスワードの入力を受け付け、フォルダに設定されたパスワードと一致する場合に、当該フォルダに記憶されている印刷データを印刷する。【選択図】図７
2008005023.tif 000002
【特許請求の範囲】
【請求項１】
１又は２以上の電子機器装置とともにネットワーク上に配置され、印刷データの印刷を行う画像形成装置であって、
前記電子機器装置の記憶領域におけるデータ管理の観念上定められたデータの保管場所の選択を受け付ける保管場所選択受付手段と、
前記保管場所に記憶されている印刷データの選択を受け付ける印刷データ選択受付手段と、
前記印刷データ選択受付手段によって受け付けられた印刷データの印刷を行う印刷手段とを備えることを特徴とする画像形成装置。
【請求項２】
認証用情報の入力を受け付ける認証用情報受付手段を備え、
前記印刷データ選択受付手段は、前記認証用情報受付手段によって受け付けられた認証用情報により前記保管場所選択受付手段によって受け付けられた保管場所へのアクセスが認証された場合に、印刷データの選択を受け付けることを特徴とする請求項１に記載の画像形成装置。
【請求項３】
前記印刷データ選択受付手段は、前記保管場所選択受付手段によって保管場所の選択が受け付けられたとき、当該保管場所に記憶されているすべての印刷データが選択されたとして受け付けることを特徴とする請求項１又は２に記載の画像形成装置。
【請求項４】
前記保管場所に記憶され、前記印刷手段によって印刷が行われた印刷データを消去する消去手段を備えることを特徴とする請求項３に記載の画像形成装置。
【請求項５】
前記印刷データ選択受付手段は、
前記保管場所選択受付手段によって受け付けられた保管場所に記憶されている印刷データを表示する表示手段を備え、
前記表示手段による表示に基づいて行われる操作にしたがって、印刷データの選択を受け付けることを特徴とする請求項１又は２に記載の画像形成装置。
【請求項６】
前記印刷データは、ＴＩＦＦ（Tagged Image File Format）形式であることを特徴とする請求項１乃至５のいずれかに記載の画像形成装置。
【請求項７】
１又は２以上の電子機器装置とともにネットワーク上に配置される電子演算装置であって、
前記電子機器装置の記憶領域におけるデータ管理の観念上定められたデータの保管場所の登録を受け付ける保管場所登録受付手段と、
所定のアプリケーションソフトウェアによって作成されたアプリケーションデータに基づいて印刷データを生成する印刷データ生成手段と、
前記印刷データ生成手段によって生成された印刷データを前記保管場所登録受付手段によって登録が受け付けられた保管場所に記憶するべく前記電子機器装置に送信する送信手段とを備えることを特徴とする電子演算装置。
【請求項８】
前記印刷データは、ＴＩＦＦ（Tagged Image File Format）形式のデータであることを特徴とする請求項７に記載の電子演算装置。
【請求項９】
前記送信手段による印刷データの送信に先立ち、前記保管場所登録受付手段によって登録が受け付けられた保管場所に印刷データが存在するか否かを検知し、存在する場合にその旨を示す警告を発する警告手段を備えることを特徴とする請求項７又は８に記載の電子演算装置。
【請求項１０】
認証用情報の入力を受け付ける認証用情報受付手段を備え、
前記送信手段は、前記認証用情報受付手段によって受け付けられた認証用情報により前記保管場所登録受付手段によって登録が受け付けられた保管場所へのアクセスが認証された場合に、印刷データを送信することを特徴とする請求項７乃至９のいずれかに記載の電子演算装置。
【請求項１１】
前記認証用情報は、自装置の使用の開始に際して自装置の使用権限の認証に用いる情報であることを特徴とする請求項１０に記載の電子演算装置。
【請求項１２】
１又は２以上の電子機器装置とともにネットワーク上に配置されるコンピュータを、
前記電子機器装置の記憶領域に記憶されるデータの管理上の観念において定められたデータの保管場所の登録を受け付ける保管場所登録受付手段、
所定のアプリケーションソフトウェアによって作成されたアプリケーションデータに基づいて印刷データを生成する印刷データ生成手段、
前記印刷データ生成手段によって生成された印刷データを前記保管場所登録受付手段によって登録が受け付けられた保管場所に記憶するべく前記電子機器装置に送信する送信手段として動作させることを特徴とするコンピュータプログラム。
【請求項１３】
１又は２以上の電子機器装置が配置されたネットワーク上に配置され、所定のアプリケーションソフトウェアで作成されたアプリケーションデータから印刷データを生成する電子演算装置と、前記ネットワーク上に配置され当該印刷データの印刷を行う画像形成装置とを有する印刷システムであって、
前記電子演算装置は、
前記ネットワーク上に配置された電子機器装置の記憶領域に記憶されるデータ管理の観念上定められたデータの保管場所の登録を受け付ける保管場所登録受付手段と、
所定のアプリケーションソフトウェアによって作成したアプリケーションデータに基づいて印刷データを生成する印刷データ生成手段と、
前記印刷データ生成手段によって生成された印刷データを前記保管場所登録受付手段によって登録が受け付けられた保管場所に記憶するべく前記電子機器装置に送信する送信手段とを備え、
前記画像形成装置は、
前記保管場所の選択を受け付ける保管場所選択受付手段と、
前記保管場所に記憶されている印刷データの選択を受け付ける印刷データ選択受付手段と、
前記印刷データ受付手段によって受け付けられた印刷データの印刷を行う印刷手段とを備えることを特徴とする印刷システム。
【発明の詳細な説明】
【技術分野】
【０００１】
本発明は、画像形成装置、電子演算装置などに関し、詳しくは、セキュアプリントを行う画像形成装置、電子演算装置に関するものである。
【背景技術】
【０００２】
従来より、複数のクライアントＰＣなどの電子演算装置（電子機器装置）が配置されたネットワーク上に、ファクシミリ複合機やプリンタなどの画像形成装置を配置し、クライアントＰＣなどで作成された印刷データをファクシミリ複合機やプリンタで印刷するシステムが存在する。ファクシミリ複合機やプリンタによって印刷データを印刷すると、印刷した記録紙（印刷物）はホッパに出力され、クライアントＰＣによって当該印刷を指示したユーザが記録紙をホッパから回収するまで記録紙は放置された状態となる。したがって、ホッパに出力された記録紙は、当該印刷を指示したユーザ以外の人間の目にさらされ、当該ユーザ以外の人間が容易に持ちさることが可能である。
【０００３】
そのため、機密情報を扱う業種の仕事の現場などでは、印刷する情報（印刷データ）の機密を保護しつつファクシミリ複合機やプリンタで印刷できることが望まれている。このような機密を保護しつつ行う印刷はセキュアプリントと呼ばれている。セキュアプリントを実現するプリンタの発明が特許文献１に記載されている。特許文献１に記載されている発明では、まず、端末機から、印刷許可コードが付加された印刷データをプリンタに対して送信する。プリンタは送信された印刷データを自装置内の所定の記憶装置に記憶する。そして、プリンタにＩＤカードなどによって識別コードが入力されると、当該識別コードと印刷データに付加された印刷許可コードとを比較し、両コードが一致した場合に、当該印刷許可コードが付加された印刷データを他の印刷データの印刷ジョブに優先して印刷する。
【特許文献１】特開平７−８１１５４号公報
【発明の開示】
【発明が解決しようとする課題】
【０００４】
ところで、特許文献１に記載されている発明に係るプリンタでは、印刷データは、必ずプリンタ（自装置）内の所定の記憶装置に記憶される。したがって、大勢のユーザによってプリンタを使用する場合には、大勢のユーザによってセキュアプリントが指示された大量の印刷データを自装置内に記憶しなければならず、プリンタに大容量の記憶装置を搭載しなければならないという問題がある。また、プリンタはネットワークに接続されており、印刷データは自装置内の記憶装置にのみ記憶されているので、プリンタがクラッキングされると、印刷データの記憶場所が容易に特定されて印刷データが奪われかねないというセキュリティ上の問題もある。
【０００５】
本発明は、かかるか課題に鑑みてなされたものであり、ファクシミリ複合機やプリンタなどの自装置の記憶装置の大容量化を抑えつつ、より高い機密性を実現したセキュアプリントを行う画像形成装置、電子演算装置などを提供することを目的とする。
【課題を解決するための手段】
【０００６】
上記目的を達成するために、請求項１に記載の画像形成装置は、１又は２以上の電子機器装置とともにネットワーク上に配置され、印刷データの印刷を行う画像形成装置であって、前記電子機器装置の記憶領域におけるデータ管理の観念上定められたデータの保管場所の選択を受け付ける保管場所選択受付手段と、前記保管場所に記憶されている印刷データの選択を受け付ける印刷データ選択受付手段と、前記印刷データ選択受付手段によって受け付けられた印刷データの印刷を行う印刷手段とを備えることを特徴としている。
【０００７】
この構成によれば、画像形成装置は、１又は２以上の電子機器装置とともにネットワーク上に配置される。そして、保管場所選択受付手段により、電子機器装置の記憶領域におけるデータ管理上の観念上定められたデータの保管場所の選択が受け付けられ、印刷データ選択受付手段により、保管場所に記憶されている印刷データの選択が受け付けられ、印刷手段により、印刷データ選択受付手段によって受け付けられた印刷データの印刷が行われる。なお、電子機器装置には、画像形成装置が含まれ、印刷データは画像形成装置の記憶領域における保管場所にも記憶され得る。
【０００８】
このように、ネットワーク上に配置されたいずれかの電子機器装置の記憶領域における保管場所に記憶された印刷データの選択を画像形成装置で受け付け、選択された印刷データを印刷するので、印刷データの保管場所を秘匿しておくことにより、印刷データの機密性を保護することができる。また、画像形成装置において印刷データの選択を受け付けたその場で印刷を行うので、印刷データが印刷された印刷物（記録紙）が他の人間の目に触れたり、持ち去られたりすることを防止することができ、このことによっても印刷データの機密性を保護することができる。また、印刷データは、画像形成装置に限らず、ネットワーク上に配置されたいずれかの電子機器装置の記憶領域における保管場所に記憶されるので、印刷データの保管場所が分散され、画像形成装置に必要な記憶装置の記憶容量の大容量化を防ぐことができる。さらに、印刷データの保存場所が分散されているので、クラッキングされた場合であっても、印刷データを記憶している保管場所が容易に特定されて印刷データが奪われることがなく、印刷データの機密性を保護することができる。
【０００９】
請求項２に記載の画像形成装置は、請求項１に記載の画像形成装置において、認証用情報の入力を受け付ける認証用情報受付手段を備え、前記印刷データ選択受付手段は、前記認証用情報受付手段によって受け付けられた認証用情報により前記保管場所選択受付手段によって受け付けられた保管場所へのアクセスが認証された場合に、印刷データの選択を受け付けることを特徴としている。
【００１０】
この構成によれば、認証用情報受付手段により、認証用情報の入力が受け付けられ、印刷データ選択受付手段により、認証用情報受付手段によって受け付けられた認証用情報により保管場所選択受付手段によって受け付けられた保管場所へのアクセスが認証された場合に、印刷データの選択が受け付けられる。
【００１１】
このように、認証用情報によって保管場所へのアクセスが認証された場合にのみ、印刷される印刷データの選択が受け付けられるので、認証用情報によってアクセスの認証を受けることができない人間によって印刷データが印刷されることを防止して印刷データの機密性を保護することができる。
【００１２】
請求項３に記載の画像形成装置は、請求項１又は２に記載の画像形成装置において、前記印刷データ選択受付手段は、前記保管場所選択受付手段によって保管場所の選択が受け付けられたとき、当該保管場所に記憶されているすべての印刷データが選択されたとして受け付けることを特徴としている。
【００１３】
この構成によれば、印刷データ選択手段により、保管場所選択受付手段によって保管場所の選択が受け付けられたとき、当該保管場所に記憶されているすべての印刷データが選択されたとして受け付けられる。
【００１４】
このように、保管場所が選択された場合に、当該保管場所に記憶されている印刷データがすべて選択されて印刷されるので、ユーザが印刷データを個別に選択する必要がなく、簡便に印刷データの印刷を行うことができる。
【００１５】
請求項４に記載の画像形成装置は、請求項３に記載の画像形成装置において、前記保管場所に記憶され、前記印刷手段によって印刷が行われた印刷データを消去する消去手段を備えることを特徴としている。
【００１６】
この構成によれば、保管場所に記憶され、印刷手段によって印刷が行われた印刷データは消去されるので、印刷データの機密性を保護することができる。
【００１７】
請求項５に記載の画像形成装置は、請求項１又は２に記載の画像形成装置において、前記印刷データ選択受付手段は、前記保管場所選択受付手段によって受け付けられた保管場所に記憶されている印刷データを表示する表示手段を備え、前記表示手段による表示に基づいて行われる操作にしたがって、印刷データの選択を受け付けることを特徴としている。
【００１８】
この構成によれば、表示手段により、保管場所選択受付手段によって受け付けられた保管場所に記憶されている印刷データが表示され、印刷データ選択受付手段により、表示手段による表示に基づいて行われる操作にしたがって、印刷データの選択が受け付けられる。
【００１９】
このように、表示手段による表示に基づいて保管場所に記憶された印刷データを選択して印刷するので、印刷を所望する印刷データを簡便に印刷することができる。
【００２０】
請求項６に記載の画像形成装置は、請求項１乃至５のいずれかに記載の画像形成装置において、印刷データはＴＩＦＦ形式であることを特徴としている。
【００２１】
この構成によれば、印刷データはＴＩＦＦ形式であるので、既存のＴＩＦＦ形式のデータを採用して簡便に、請求項１乃至５のいずれかに記載の画像形成装置を実現することができる。
【００２２】
上記目的を達成するために、請求項７に記載の電子演算装置は、１又は２以上の電子機器装置とともにネットワーク上に配置される電子演算装置であって、前記電子機器装置の記憶領域におけるデータ管理の観念上定められたデータの保管場所の登録を受け付ける保管場所登録受付手段と、所定のアプリケーションソフトウェアによって作成されたアプリケーションデータに基づいて印刷データを生成する印刷データ生成手段と、前記印刷データ生成手段によって生成された印刷データを前記保管場所登録受付手段によって登録が受け付けられた保管場所に記憶するべく前記電子機器装置に送信する送信手段とを備えることを特徴としている。
【００２３】
この構成によれば、電子演算装置は、１又は２以上の電子機器装置とともにネットワーク上に配置される。そして、保管場所登録受付手段により、電子機器装置の記憶領域におけるデータの管理の観念上定められたデータの保管場所の登録が受け付けられ、印刷データ生成手段により、所定のアプリケーションソフトウェアによって作成されたアプリケーションデータに基づいて印刷データが生成され、送信手段により、印刷データ生成手段によって生成された印刷データが保管場所登録受付手段によって登録が受け付けられた保管場所に記憶するべく電子機器装置に送信される。なお、電子機器装置には、電子演算装置が含まれ、印刷データは電子演算装置の記憶領域における保管場所にも記憶され得る。
【００２４】
このように、ネットワーク上に配置されたいずれかの電子機器装置の記憶領域における保管場所に印刷データを記憶するので、ファクシミリ複合機やプリンタなどで保管場所を指定し、指定した保管場所に記憶された印刷データを印刷するようにすれば、印刷データの保管場所を秘匿しておくことにより印刷データの機密性を保護することができる。また、印刷データは、ファクシミリ複合機やプリンタなどに限らず、ネットワーク上に配置されたいずれかの電子機器装置の記憶領域における保管場所に記憶されるので、印刷データの保管場所が分散され、ファクシミリ複合機やプリンタなどに必要な記憶装置の記憶容量の大容量化を防ぐことができる。さらに、印刷データの保存場所が分散されているので、クラッキングされた場合であっても、印刷データを記憶している保管場所が容易に特定されて印刷データが奪われることがなく、印刷データの機密性を保護することができる。
【００２５】
請求項８に記載の電子演算装置は、請求項７に記載の電子演算装置において、前記印刷データは、ＴＩＦＦ（Tagged Image File Format）形式のデータであることを特徴としている。
【００２６】
この構成によれば、印刷データはＴＩＦＦ形式であるので、既存のＴＩＦＦファイル生成手段を利用して、請求項７に記載の電子演算装置を実現することができる。
【００２７】
請求項９に記載の電子演算装置は、請求項７又は８に記載の電子演算装置において、前記送信手段による印刷データの送信に先立ち、前記保管場所登録受付手段によって登録が受け付けられた保管場所に印刷データが存在するか否かを検知し、存在する場合にその旨を示す警告を発する警告手段を備えることを特徴としている。
【００２８】
この構成によれば、警告手段により、送信手段による印刷データの送信に先立ち、保管場所登録手段によって登録が受け付けられた保管場所に印刷データが存在するか否かが検知され、存在する場合にその旨を示す警告が発せられる。
【００２９】
このように、印刷データを記憶する保存場所に既に印刷データが存在する場合には警告が発せられるので、保存場所に印刷済みなどであって印刷をすることが不適当な印刷データがある場合には、ユーザはこれを知り、削除などすることがきる。
【００３０】
請求項１０に記載の電子演算装置は、請求項７乃至９のいずれかに記載の電子演算装置において、認証用情報の入力を受け付ける認証用情報受付手段を備え、前記送信手段は、前記認証用情報受付手段によって受け付けられた認証用情報により前記保管場所登録受付手段によって登録が受け付けられた保管場所へのアクセスが認証された場合に、印刷データを送信することを特徴としている。
【００３１】
この構成によれば、認証用情報受付手段により、認証用情報の入力が受け付けられ、送信手段により、認証用情報受付手段によって受け付けられた認証用情報により保管場所登録受付手段によって登録が受け付けられた保管場所へのアクセスが認証された場合に、印刷データが送信される。
【００３２】
このように、アクセスが認証された場合に、印刷データを保管場所に記憶するべく送信するので、保管場所をアクセス制限が設定されたものとすることができる。したがって、保管場所に記憶された印刷データを印刷する場合にも保管場所へのアクセスの認証を必要とすることができ、印刷データの機密性を保護することができる。
【００３３】
請求項１１に記載の電子演算装置は、請求項１０に記載の電子演算装置であって、前記認証用情報は、自装置の使用の開始に際して自装置の使用権限の認証に用いる情報であることを特徴としている。
【００３４】
この構成によれば、認証用情報は、電子演算装置の使用の開始に際して自装置の使用権限の認証に用いる情報、例えば、コンピュータにログインする場合のパスワードなどであるので、保管場所へのアクセスの認証を受けるためにわざわざ認証用情報を入力する必要がないので印刷データの印刷操作における利便性を向上することができる。
【００３５】
上記目的を達成するために、請求項１２に記載のコンピュータプログラムは、１又は２以上の電子機器装置とともにネットワーク上に配置されるコンピュータを、前記電子機器装置の記憶領域に記憶されるデータの管理上の観念において定められたデータの保管場所の登録を受け付ける保管場所登録受付手段、所定のアプリケーションソフトウェアによって作成されたアプリケーションデータに基づいて印刷データを生成する印刷データ生成手段、前記印刷データ生成手段によって生成された印刷データを前記保管場所登録受付手段によって登録が受け付けられた保管場所に記憶するべく前記電子機器装置に送信する送信手段として動作させることを特徴としている。
【００３６】
このコンピュータプログラムによれば、１又は２以上の電子機器装置とともにネットワーク上に配置されるコンピュータが、電子機器装置の記憶領域に記憶されるデータの管理上の観念において定められたデータの保管場所の登録を受け付ける保管場所登録受付手段、所定のアプリケーションソフトウェアによって作成されたアプリケーションデータに基づいて印刷データを生成する印刷データ生成手段、印刷データ生成手段によって生成された印刷データを保管場所登録受付手段によって登録が受け付けられた保管場所に記憶するべく電子機器装置に送信する送信手段として動作させられる。
【００３７】
上記目的を達成するために、請求項１３に記載の印刷システムは、１又は２以上の電子機器装置が配置されたネットワーク上に配置され、所定のアプリケーションソフトウェアで作成されたアプリケーションデータから印刷データを生成する電子演算装置と、前記ネットワーク上に配置され当該印刷データの印刷を行う画像形成装置とを有する印刷システムであって、前記電子演算装置は、前記ネットワーク上に配置された電子機器装置の記憶領域に記憶されるデータ管理の観念上定められたデータの保管場所の登録を受け付ける保管場所登録受付手段と、所定のアプリケーションソフトウェアによって作成したアプリケーションデータに基づいて印刷データを生成する印刷データ生成手段と、前記印刷データ生成手段によって生成された印刷データを前記保管場所登録受付手段によって登録が受け付けられた保管場所に記憶するべく前記電子機器装置に送信する送信手段とを備え、前記画像形成装置は、前記保管場所の選択を受け付ける保管場所選択受付手段と、前記保管場所に記憶されている印刷データの選択を受け付ける印刷データ選択受付手段と、前記印刷データ受付手段によって受け付けられた印刷データの印刷を行う印刷手段とを備えることを特徴としている。
【００３８】
この構成によれば、電子演算装置において、保管場所登録受付手段により、ネットワーク上に配置された電子機器装置の記憶領域に記憶されるデータ管理の観念上定められたデータの保管場所の登録が受け付けられ、印刷データ生成手段により、所定のアプリケーションソフトウェアによって作成したアプリケーションデータに基づいて印刷データが生成され、送信手段により、印刷データ生成手段によって生成された印刷データが保管場所登録受付手段によって登録が受け付けられた保管場所に記憶するべく電子機器装置に送信される。そして、画像形成装置において、保管場所選択受付手段により、保管場所の選択が受け付けられ、印刷データ選択受付手段により、保管場所に記憶されている印刷データの選択が受け付けられ、印刷手段により、印刷データ受付手段によって受け付けられた印刷データの印刷が行われる。なお、電子機器装置には、電子演算装置及び画像形成装置が含まれ、印刷データは電子演算装置及び画像形成装置の記憶領域における保管場所にも記憶され得る。
【００３９】
このように、電子演算装置によって、ネットワーク上に配置されたいずれかの電子機器装置の記憶領域における保管場所に印刷データを記憶し、画像形成装置において、保管場所の選択を受け付け、選択された保管場所に記憶されている印刷データの印刷を行う。したがって、印刷データの保管場所を秘匿しておくことにより、印刷データの機密性を保護することができる。また、画像形成装置において印刷データの選択を受け付けたその場で印刷を行うので、印刷データが印刷された印刷物（記録紙）が他の人間の目に触れたり、持ち去られたりすることを防止することができ、このことによっても印刷データの機密性を保護することができる。また、印刷データは、画像形成装置に限らず、ネットワーク上に配置されたいずれかの電子機器装置の記憶領域における保管場所に記憶されるので、印刷データの保管場所が分散され、画像形成装置に必要な記憶装置の記憶容量の大容量化を防ぐことができる。さらに、印刷データの保存場所が分散されているので、クラッキングされた場合であっても、印刷データを記憶している保管場所が容易に特定されて印刷データが奪われることがなく、印刷データの機密性を高めることができる。
【発明を実施するための最良の形態】
【００４０】
以下、本発明に係る画像形成装置の一例としてのインターネットファクシミリ装置１、及び、電子演算装置の一例としてのクライアントＰＣ（Personal Computer）２について説明する。図１に示すように、インターネットファクシミリ装置１は、ＬＡＮ（Local Area Network）４に接続され、このＬＡＮ４には、複数のクライアントＰＣ２や複数のストレージサーバＰＣ３が接続されている。
【００４１】
このようなネットワークシステムでは、クライアントＰＣ２のユーザによって作成された印刷データは、インターネットファクシミリ装置１、クライアントＰＣ２（自装置を含む）、ストレージサーバＰＣ３などのいずれかの記憶装置に記憶される。そして、ユーザが、インターネットファクシミリ装置１に対して所定の操作を行うことにより、インターネットファクシミリ装置１、クライアントＰＣ２、ストレージサーバＰＣ３のいずれかの記憶装置に記憶されている印刷データが印刷される。
【００４２】
図２は、インターネットファクシミリ装置１の構成例を示したブロック図である。このインターネットファクシミリ装置１は、図２に示すように、ＣＰＵ（Central Processing Unit）１０１、ＲＯＭ（Read Only Memory）１０２、ＲＡＭ（Random Access Memory）１０３、操作部１０４、報知部１０５、原稿読取部１０６、画像処理部１０７、コーデック（ＣＯＤＥＣ：Coder and Decoder）１０８、画像メモリ１０９、ラスタライズ回路１１０、プリンタ１１１、ＦＡＸ通信部１１２、及び、ＬＡＮ−Ｉ／Ｆ（Local Area Network Interface）１１３を備えており、各部１０１乃至１１３は、バス１１４によって通信可能に接続されている。
【００４３】
ＣＰＵ１０１は、ＲＯＭ１０２に格納されている制御プログラムに従って、インターネットファクシミリ装置１の各部の動作を制御する。ＲＯＭ１０２は、ＣＰＵ１０１によりこのインターネットファクシミリ装置１の各部の動作を制御するための前記制御プログラムなどを格納する。ＲＡＭ１０３は、インターネットファクシミリ装置１の動作に用いる設定情報をはじめとする各種データを、読み出し及び書き込みが可能な状態で記憶するものである。
【００４４】
操作部１０４は、図示しないが、原稿の読み取り動作の開始を指示するためのスタートキー、ファクシミリ番号、コピー部数などを入力するためのテンキー、操作対象を指定するためのカーソルキーなどを備えている。報知部１０５は、各種の設定状態や自装置１の動作状態などを文字や図形などで表示するタッチパネル式の液晶表示装置（ＬＣＤ：Liquid Crystal Display）（オペレーションパネル）や、点灯又は消灯で表示するＬＥＤ（Light Emitting Diode）ランプ、所定の警告音を鳴動するスピーカなどを備えている。操作部１０４が備える各キーの操作に応じて報知部１０５が備える液晶表示装置の表示が変化し、この表示が行われた液晶表示装置のパネルへのタッチにより各種の入力が行われる。
【００４５】
原稿読取部１０６は、原稿の画像を読み取って画像データを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００４６】
画像処理部１０７は、原稿読取部１０６から出力された画像データに対して、色調整、色空間変換、２値化などの処理を行うものである。コーデック１０８は、画像処理部１０７などによって処理された画像データを符号化（エンコード）し、また、符号化された画像データを復号（デコード）するものである。コーデック１０８に入力された画像データは、ＪＰＥＧ、ＭＨ、ＭＲ、ＭＭＲ、ＪＢＩＧ方式などに基づいて符号化され、画像メモリ１０９に記憶される。画像メモリ１０には、セキュアプリントを行うべくクライアントＰＣ２、ストレージサーバＰＣ３などのいずれかから取得した印刷データも記憶される。ここで、セキュアプリントが実行される印刷データは、例えば、ＴＩＦＦ形式のデータである。
【００４７】
ラスタライズ回路１１０は、セキュアプリントを行うべくクライアントＰＣ２などから取得され画像メモリ１０９に記憶されている印刷データを読み出し、この印刷データをラスタライズしてプリンタ１１０によって印刷が可能な印刷用画像データを生成するものである。なお、ラスタライズ回路１１０は、ＰＤＬ（Page Description Language）によって記述された印刷データを解析して印刷用画像データに展開することも可能である。
【００４８】
プリンタ１１１は、ラスタライズ回路１１０によって生成された印刷用画像データを所定の記録紙上に印刷するものである。
【００４９】
ＦＡＸ通信部１１２は、原稿の画像データをファクシミリ通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置であり、図示しないＰＳＴＮ（Public Switched Telephone Networks：公衆交換電話網）に接続される。ＰＳＴＮには、インターネットファクシミリ装置１の他にＧ３ファクシミリ装置などが通信可能に接続され、インターネットファクシミリ装置１は、Ｇ３ファクシミリ装置などとの間で画像データをファクシミリ送受信することが可能である。
【００５０】
ＬＡＮ−Ｉ／Ｆ１１２は、インターネットファクシミリ装置１をＬＡＮ４に接続可能にするものである。インターネットファクシミリ装置１は、ＳＭＢ（Server Message Block）プロトコルによって、ＬＡＮ４上に接続されたクライアントＰＣ２やストレージサーバＰＣ３に存在する共有フォルダやファイルにアクセスすることが可能である。また、ＬＡＮ４は、図示しないルータを介してインターネットに接続されている。したがって、インターネットファクシミリ装置１は、他のインターネットファクシミリ装置との間でインターネットファクシミリ通信を行うことも可能である。
【００５１】
図３は、クライアントＰＣ２の構成例を示すブロック図である。図３に示すように、クライアントＰＣ２は、ＣＰＵ２０１、ＲＯＭ２０２、ＲＡＭ２０３、ＨＤＤ(Hard Disk Drive)２０４、操作部２０５、表示部２０６、及び、ＬＡＮ−Ｉ／Ｆ２０７を備えており、各部２０１乃至２０７は、バス２０８によって通信可能に接続されている。
【００５２】
制御部２０１は、ＨＤＤ２０４から読み出されてＲＡＭ２０３に格納された制御プログラムに従って、クライアントＰＣ２の各部の動作を制御する。ＲＯＭ３０２は、クライアントＰＣ２の動作に必要な各種の設定データなどを格納する。ＲＡＭ２０３は、制御部２０１のワークエリアなどとして機能するものであり、実行するプログラムの一部又は全部がＨＤＤ２０４から読み出されて格納される。ＨＤＤ２０４は、制御部２０１によりこのクライアントＰＣ２の各部の動作を制御するための前記制御プログラムや、ユーザの利用に供されるアプリケーションソフトウェアなどの種々のプログラムやデータを記憶する。このＨＤＤ２０４には、インターネットファクシミリ装置１によって印刷処理が行われる印刷データを、アプリケーションソフトウェアで生成されたアプリケーションデータに基づいて生成したり、印刷の条件を指定したりするプリンタドライバも記憶されている。
【００５３】
操作部２０５は、ユーザが情報を入力するマウス、キーボードなどから構成され、ユーザによる各種の入力操作は、この操作部２０５を介して行われる。表示部２０６は、例えばＬＣＤ（Liquid Crystal Display）などからなり、各種の画面情報を表示するものである。ＬＡＮ−Ｉ／Ｆ２０７は、クライアントＰＣ２とＬＡＮ４とを、引いては、クライアントＰＣ２とインターネットファクシミリ装置１やストレージサーバＰＣ３を通信可能に接続するものである。
【００５４】
このようなクライアントＰＣ２は、例えば、ＨＤＤ２０４に記憶されているMicrosoft社のWindows（登録商標）というＯＳ（Operating System）によって、操作環境などが提供される。
【００５５】
なお、ストレージサーバＰＣ３は、図３に示したクライアントＰＣ２の構成と同様の構成によって実現される。そして、ストレージサーバＰＣ３もまた、ＬＡＮ４を介して、インターネットファクシミリ装置１やクライアントＰＣ２との間で通信が可能である。
【００５６】
このようなインターネットファクシミリ装置１とクライアントＰＣ２とでは、次のようにしてセキュアプリントが実現される。まず、クライアントＰＣ２のユーザは、印刷データを記憶する記憶装置の記憶領域おけるデータ管理の観念上定められたデータの保管場所を、予め自装置２に登録しておく。この“保管場所”の概念は、Windows（登録商標）によるシステムであれば“フォルダ”と呼ばれ、UNIX（登録商標）によるシステムであれば“ディレクトリ”と呼ばれる概念に相当する。以下においては、この“保管場所”を“フォルダ”と呼ぶ。この印刷データの記憶場所として自装置２に登録するフォルダは、自装置（クライアントＰＣ）２上の記憶装置におけるものであってもよいし、他のクライアントＰＣ２、ストレージサーバＰＣ３、及び、インターネットファクシミリ装置１のいずれの記憶装置の記憶領域におけるものであってもよい。この印刷データを記憶するためのフォルダはユーザ毎に設けられ登録される。また、このフォルダにはアクセス制限が設定され、ユーザＩＤ、パスワードなどの認証用情報による認証処理によりアクセスが認証された場合にのみアクセスが可能となる。
【００５７】
セキュアプリントを実行する場合には、ユーザにより、クライアントＰＣ２において、アプリケーションソフトウェアを利用してアプリケーションデータが作成される。そして、クライアントＰＣ２において、プリンタドライバによってアプリケーションデータに基づいてＴＩＦＦ形式の印刷データが生成される。生成された印刷データは、プリンタドライバによって、インターネットファクシミリ装置１、クライアントＰＣ２、ストレージサーバＰＣ３などのいずれかに送信されることにより、自装置２に登録されたフォルダに記憶される。
【００５８】
そして、ユーザが、インターネットファクシミリ装置１に対して所定の操作を行うことによって、印刷データを記憶させたフォルダの特定、及び、当該フォルダに対するアクセスが認証され、当該フォルダに記憶されている印刷データが選択される。そして、選択された印刷データがインターネットファクシミリ装置１によって記録紙上に印刷される。
【００５９】
次に、図４を用いて、ユーザがセキュアプリントを行う印刷データを記憶させるフォルダをクライアントＰＣ２に登録する場合に、クライアントＰＣ２のＣＰＵ２０１が実行する処理の例を説明する。クライアントＰＣ２のＣＰＵ２０１は、ＨＤＤ２０４から読み出されてＲＡＭ２０３に格納されている制御プログラムに従って処理を実行する。なお、図４に示す各処理の実行順序は図示するものに限定されるものではなく、実行の順序を変更しても本発明を実現できる場合には適宜に変更してもよい。また、クライアントＰＣ２には、ユーザのユーザＩＤとパスワードとが予め登録されているものとする。
【００６０】
ユーザがクライアントＰＣ２の電源を投入すると、ＣＰＵ２０１は、例えば、Windows（登録商標）システムを起動させ（Ｓ１０１）、表示部２０６にログイン画面を表示し、システムの使用権限の認証を行うためのユーザＩＤとパスワードとの入力を受け付ける（Ｓ１０２）。入力を受け付けたユーザＩＤとパスワードとはＲＡＭ２０３に記憶される。そして、入力を受け付けたユーザＩＤ及びパスワードと、予め登録されてＨＤＤ２０４に記憶されているユーザＩＤとパスワードとに基づいてユーザの認証を行う（Ｓ１０３）。続いて、認証処理による認証が成功したか、つまり、ユーザが認証されたか否かを判断する（Ｓ１０４）。ユーザが成功しなかったと判断すると（Ｓ１０４：ＮＯ）、ステップＳ１０２に戻り、エラーメッセージとともに再びログイン画面を表示する。一方、認証が成功したと判断すると（Ｓ１０４：ＹＥＳ）、ユーザのログインを認め、当該クライアントＰＣ２のシステムの使用を許可する（Ｓ１０５）。
【００６１】
ユーザが操作部２０５を介して、プリンタドライバのプロパティを起動させる操作を行うと、その操作に応じて、ＣＰＵ２０１はプリンタドライバのプロパティを起動し、プロパティの画面を表示部２０６に表示する（Ｓ１０６）。
【００６２】
ユーザがプロパティの画面表示に基づいて操作部２０５を介して印刷データを記憶するための操作を行うと、ＣＰＵ２０１はこの操作に応じて印刷データを記憶するためのフォルダを作成する（Ｓ１０７）。このとき、ＣＰＵ２０１は、ユーザによるプロパティの画面表示に基づく操作に応じて、ＬＡＮ４に接続されているインターネットファクシミリ装置１、クライアントＰＣ（自装置を含む。）２、ストレージサーバＰＣ３などの共有フォルダを表示部２０６に表示し、この表示に基づいてユーザが選択した共有フォルダの中に、印刷データを記憶するためのユーザ専用のフォルダ（共有フォルダ）を作成する。ここで作成されるフォルダには、パスワード（認証用情報）によるアクセス制限が設定される。このアクセス制限は、例えば、このフォルダにアクセスする際には、パスワードによる認証が必要であるが、フォルダへのアクセス後に、フォルダ内にデータを書き込んだり、フォルダ内のデータを読み出したりする際にはパスワードによる認証は不要であるというものである。なお、フォルダのアクセス制限の設定に使用するパスワードは、例えば、ステップ１０２（Ｓ１０２）で、クライアントＰＣ２へのログインのために受け付けた当該ユーザのパスワードを使用する。しかし、ログイン用のパスワードとは異なるパスワードの入力を別途受け付け、受け付けたこのパスワードを用いてフォルダにアクセス制限を設定するようにしてもよい。
【００６３】
印刷データを記憶するためのフォルダを作成すると、作成したフォルダのＬＡＮ４により構成されるネットワークにおける場所を示すパスを、ステップ１０２（Ｓ１０２）のログイン時に入力された当該ユーザのユーザＩＤと対応付けて、プリンタドライバに登録され、ＨＤＤ２０４の所定の記憶領域に記憶される（Ｓ１０８）。そして、ユーザの操作部２０５を介したプリンタドライバのプロパティの画面表示への操作に応じてプリンタドライバのプロパティを終了する（Ｓ１０９）。
【００６４】
このようにして、パスワードによってアクセスが制限され、印刷データを記憶するためのフォルダが、ＬＡＮ４上のインターネットファクシミリ装置１、クライアントＰＣ２、ストレージサーバＰＣ３などのいずれかの記憶装置上のフォルダに作成され、そのフォルダのパス（path）がユーザのユーザＩＤに対応付けてクライアントＰＣ２（プリンタドライバ）に登録される。
【００６５】
次に、図５を用いて、ユーザがインターネットファクシミリ装置１に対して、印刷データを記憶させるフォルダの登録を行う場合に、インターネットファクシミリ装置１のＣＰＵ１０１が実行する処理の例を説明する。インターネットファクシミリ装置１のＣＰＵ１０１は、ＲＯＭ１０２に格納されている制御プログラムに従って処理を実行する。なお、図５に示す各処理の実行順序は図示するものに限定されるものではなく、実行の順序を変更しても本発明を実現できる場合には適宜に変更してもよい。また、ユーザによってＬＡＮ４によって、構成されるネットワーク上に既に印刷データを記憶させるフォルダが作成されているものとする。
【００６６】
ユーザは、操作部１０４が備える各キーへの操作、及び、報知部１０５が備える液晶表示装置のパネルへのタッチにより、当該ユーザが印刷する印刷データが記憶されるフォルダの登録をインターネットファクシミリ装置１に対して指示する。
【００６７】
インターネットファクシミリ装置１のＣＰＵ１０１は、フォルダの登録の指示が行われたか否かを判断する（Ｓ２０１）。フォルダの登録が指示されていないと判断すると（Ｓ２０１：ＮＯ）、フォルダの登録が指示されるまで待機する。一方、フォルダの登録が指示されたと判断すると（Ｓ２０１：ＹＥＳ）、報知部１０５が備える液晶表示装置にユーザＩＤの入力を促す表示を行い、当該ユーザのユーザＩＤの入力を受け付ける（Ｓ２０２）。なお、ここで入力するユーザＩＤは、当該ユーザがクライアントＰＣ２にログインする際に使用するユーザＩＤとは異なるＩＤであってもよい。
【００６８】
そして、次に、ＬＡＮ４に接続されているインターネットファクシミリ装置１、クライアントＰＣ２、ストレージサーバＰＣ３などに存在する共有フォルダの一覧を液晶表示装置に表示し、当該ユーザの印刷データが記憶されるフォルダの選択を受け付ける（Ｓ２０３）。このとき、ユーザによるフォルダの選択により、当該フォルダのＬＡＮ４における場所を示すパスが特定される。そして、ステップ２０２（Ｓ２０２）で受け付けたユーザＩＤとステップ２０３（Ｓ２０３）で特定されたフォルダのパスとを対応付けてＲＡＭ１０３の所定の記憶領域に記憶する（Ｓ２０４）。
【００６９】
このようにして、インターネットファクシミリ装置１にユーザのユーザＩＤと当該ユーザが印刷する印刷データを記憶するフォルダのパスとが対応付けて記憶される。
【００７０】
次に、図６を用いて、ユーザがセキュアプリントを行うために、印刷データを当該ユーザが専用するフォルダに記憶させる場合に、当該ユーザが使用するクライアントＰＣ２のＣＰＵ２０１が実行する処理の例を説明する。クライアントＰＣ２のＣＰＵ２０１は、ＨＤＤ２０４から読み出されてＲＡＭ２０３に格納されている制御プログラムに従って処理を実行する。なお、図６に示す各処理の実行順序は図示するものに限定されるものではなく、実行の順序を変更しても本発明を実現できる場合には適宜に変更してもよい。なお、ユーザによって、ＬＡＮ４によって構成されるネットワーク上に既に印刷データを記憶させるフォルダが作成されているものとする。
【００７１】
ユーザがクライアントＰＣ２の電源を投入すると、ＣＰＵ２０１は、例えば、Windows（登録商標）システムを起動させ（Ｓ３０１）、表示部２０６にログイン画面を表示し、システムの使用権限の認証を行うためのユーザＩＤとパスワードとの入力を受け付ける（Ｓ３０２）。入力を受け付けたユーザＩＤとパスワードとはＲＡＭ２０３に記憶される。そして、入力を受け付けたユーザＩＤ及びパスワードと、予め登録されてＨＤＤ２０４に記憶されているユーザＩＤとパスワードとに基づいてユーザの認証を行う（Ｓ３０３）。続いて、認証処理による認証が成功したか、つまり、ユーザが認証されたか否かを判断する（Ｓ３０４）。ユーザが成功しなかったと判断すると（Ｓ３０４：ＮＯ）、ステップＳ３０２に戻り、エラーメッセージとともに再びログイン画面を表示する。一方、認証が成功したと判断すると（Ｓ３０４：ＹＥＳ）、ユーザのログインを認め、当該クライアントＰＣ２のシステムの使用を許可する（Ｓ３０５）。
【００７２】
ＣＰＵ２０１は、ユーザが操作部２０５を介して行うワープロソフトウェアを起動させる操作に基づいてワープロソフトウェアを起動し、ユーザの操作部２０５に対する操作に応じた処理を行うことによって、機密文書などのアプリケーションデータを作成する（Ｓ３０６）。
【００７３】
アプリケーションデータの作成を終えると、ユーザは操作部２０５を介して操作を行い、ワープロソフトウェアに対して、当該アプリケーションデータの印刷を指示する。
【００７４】
ＣＰＵ２０１は、印刷の指示が行われたか否かを判断し（Ｓ３０７）、印刷の指示が行われていないと判断すると（Ｓ３０７：ＮＯ）、印刷の指示が行われるまで待機する。一方、印刷の指示が行われたと判断すると（Ｓ３０７：ＹＥＳ）、プリンタドライバを起動し（Ｓ３０８）、ユーザに印刷の条件などの指定及び印刷の実行の指示を促す画面を表示部２０６に表示する。
【００７５】
ユーザは、表示部２０６に表示された画面に基づいて、操作部２０５を介して、印刷の諸条件やセキュアプリントの実行を指示をプリンタドライバに対して行う。
【００７６】
セキュアプリントの指示を受けると、ＣＰＵ２０１は、プリンタドライバに従った処理を実行し、セキュアプリントの実行が指示されたアプリケーションデータに基づいて、ＴＩＦＦ形式の印刷データを生成する（Ｓ３０９）。そして、次に、当該印刷データを記憶されるフォルダについてのアクセス認証処理を行う。印刷データは、ステップ３０２（Ｓ３０２）におけるログイン時に入力された当該ユーザのユーザＩＤと対応付けてＨＤＤ２０４に記憶されている（プリンタドライバに登録されている）パスによって特定されるフォルダに記憶される。したがって、このパスによって特定されるフォルダについてのアクセス認証処理を行う。このアクセス認証処理は、当該フォルダに設定されているパスワードと、ステップ３０２（Ｓ３０２）において、クライアントＰＣ２のシステムへのログイン時に入力されたパスワードとを比較することによって行う。この比較の結果、２つのパスワードが一致する場合に当該フォルダへのアクセスが認証される。なお、フォルダへのアクセスの認証処理には、ログイン時に入力されたパスワードを使用するのではなく、別途、入力を受け付けたパスワードを使用するようにしてもよい。
【００７７】
ステップ３１１（Ｓ３１１）では、２つのパスワードの比較により、認証が成功したか、つまり、アクセスが認証されたか否かを判断する。認証が成功しなかったと判断すると（Ｓ３１１：ＮＯ）、エラー処理を実行する（Ｓ３１２）。このエラー処理では、具体的には、報知部１２０が備える液晶表示装置に、認証に失敗して印刷データの記憶用のフォルダへのアクセスが拒否された旨を告げるエラーメッセージを表示し、ＬＥＤランプを点滅させ、さらに、スピーカーから所定の警告音を鳴動させる。なお、このエラー処理では、上記の表示、点滅、鳴動を行うとともに、パスワードの入力を促し、フォルダへのアクセスの認証の処理を再度実行するようにしてもよい。一方、認証が成功したと判断すると（Ｓ３１１：ＹＥＳ）、プリンタドライバによって生成された印刷データ（ＴＩＦＦ形式のデータ）を、ＨＤＤ２０４に記憶しているフォルダのパスに基づいて、インターネットファクシミリ装置１、クライアントＰＣ２、ストレージサーバＰＣ３などに送信する（Ｓ３１３）。これにより、当該ユーザが専用するフォルダに印刷データが記憶される。
【００７８】
次に、図７を用いて、ユーザがインターネットファクシミリ装置１に対してセキュアプリントを指示する操作を行う場合に、インターネットファクシミリ装置１のＣＰＵ１０１が実行する処理の例を説明する。インターネットファクシミリ装置１のＣＰＵ１０１は、ＲＯＭ１０２に格納されている制御プログラムに従って処理を実行する。なお、図７に示す各処理の実行順序は図示するものに限定されるものではなく、実行の順序を変更しても本発明を実現できる場合には適宜に変更してもよい。また、ユーザのフォルダには、既に印刷データが記憶されているものとする。
【００７９】
ユーザは、操作部１０４が備える各キーへの操作、及び、報知部１０５が備える液晶表示装置のパネルへのタッチにより、セキュアプリントの開始をインターネットファクシミリ装置１に対して指示する。
【００８０】
インターネットファクシミリ装置１のＣＰＵ１０１は、セキュアプリントの開始が指示されたか否かを判断する（Ｓ４０１）。セキュアプリントの開始が指示されていないと判断すると（Ｓ４０１：ＮＯ）、開始が指示されるまで待機する。一方、セキュアプリントの開始が指示されたと判断すると（Ｓ４０１：ＹＥＳ）、報知部１０５が備える液晶表示装置に、ユーザＩＤの入力を促す画面を表示してユーザＩＤの入力を受け付ける（Ｓ４０２）。そして、入力を受け付けたユーザＩＤに基づいて、ＲＡＭ１０３に記憶している当該ユーザＩＤに対応したフォルダのパスを特定する（Ｓ４０３）。つまり、入力を受け付けたユーザＩＤと同一のユーザＩＤに対応付けてＲＡＭ１０３に記憶しているフォルダのパスを、当該ユーザがこれからセキュアプリントを行う印刷データが記憶されているフォルダの場所を示すパスであると特定する。
【００８１】
フォルダのパスを特定すると、報知部１０５が備える液晶表示装置に、特定された当該フォルダにアクセスするためのパスワードの入力を促す画面を表示してパスワードの入力を受け付ける（Ｓ４０４）。そして、ユーザＩＤと対応付けられたパスによって特定されるフォルダについてのアクセス認証処理を行う（Ｓ４０５）。このアクセス認証処理は、当該フォルダに設定されているパスワードと、ステップ４０４（Ｓ４０４０）において入力を受け付けたパスワードとを比較することによって行う。この比較の結果、２つのパスワードが一致する場合に当該フォルダへのアクセスが認証される。
【００８２】
ステップ４０６（Ｓ４０６）では、２つのパスワードの比較の結果、認証が成功したか、つまり、アクセスが認証されたか否かを判断し、認証が成功しなかったと判断すると（Ｓ４０６：ＮＯ）、エラー処理を実行する（Ｓ４０７）。このエラー処理では、具体的には、報知部１２０が備える液晶表示装置に、認証に失敗して印刷データの記憶用のフォルダへのアクセスが拒否された旨を告げるエラーメッセージを表示し、ＬＥＤランプを点滅させ、さらに、スピーカーから所定の警告音を鳴動させる。なお、このエラー処理では、上記の表示、点滅、鳴動を行うとともに、パスワードの入力を促し、フォルダへのアクセスの認証の処理を再度実行するようにしてもよい。
【００８３】
一方、認証が成功したと判断すると（Ｓ４０６：ＹＥＳ）、当該フォルダにアクセスして、当該フォルダに記憶されているすべての印刷データを取得し（Ｓ４０８）、機密保護のためフォルダ内のすべての印刷データを消去する（Ｓ４０９）。そして、プリンタ１１１などを駆動してフォルダから取得した印刷データを記録紙上に記録する（Ｓ４１０）。印刷データの印刷を終えると、機密保護のためインターネットファクシミリ装置１内に記憶されている印刷データをすべて消去する（Ｓ４１１）。なお、フォルダに複数の印刷データが存在する場合に、印刷データを一括してインターネットファクシミリ装置１に取得するのではなく、１つずつ印刷データを取得して当該印刷データをフォルダから消去し、当該印刷データの印刷を終えると次の印刷データをフォルダから取得するようにしてもよい。なお、ステップ４０８（Ｓ４０８）において、印刷データを取得する場合には、データの形式に対応していないなどの理由により印刷することができないデータについては取得しないようにするとよい。
【００８４】
このように、ユーザは、インターネットファクシミリ装置１に対して直接的にセキュアプリントの実行を指示することによって、自分が専用するフォルダに記憶された印刷データをその場で一括して印刷する。
【００８５】
上述の図７を用いた例では、フォルダに記憶されているすべての印刷データを一括して印刷したが、フォルダに記憶されている印刷データを選択可能としてもよい。印刷データを選択可能とする場合のインターネットファクシミリ装置１のＣＰＵ１０１が実行する処理の例を図８を用いて説明する。なお、図８におけるステップ５０１〜５０７の処理は、図７におけるステップ４０１〜４０７と同じであるので当該処理についての説明を省略する。
【００８６】
フォルダに対するアクセスの認証が成功したと判断すると（Ｓ５０６：ＹＥＳ）、当該フォルダにアクセスし、フォルダ内に記憶されている印刷データの一覧を報知部１０５が備える液晶表示装置に表示し、ユーザに印刷データの選択を促す（Ｓ５０８）。このとき、液晶表示装置には、印刷が可能なデータ形式（ここでは、ＴＩＦＦ形式）のデータのみを表示するようにするとよい。
【００８７】
ユーザは、液晶表示装置の表示に基づき、操作部１０４の各種キーを操作し、液晶表示装置にタッチすることによって、１又は２以上の印刷データを選択する。
【００８８】
インターネットファクシミリ装置１のＣＰＵ１０１は、ユーザによる印刷データの選択を受け付け（Ｓ５０９）、選択された印刷データをフォルダから取得し（Ｓ５１０）、取得した印刷データの印刷を行う（Ｓ５１１）。そして、印刷を終えた印刷データをインターネットファクシミリ装置１の内部から消去する（Ｓ５１２）。
【００８９】
なお、このように印刷データを選択して印刷する場合においても、フォルダ内に存在する印刷が可能な印刷データが１つである場合には、ユーザによる選択を受けることなく、無条件に当該印刷データを印刷するようにしてもよい。
【００９０】
以上に説明したように、本発明のインターネットファクシミリ装置１とクライアントＰＣ２によれば、クライアントＰＣ２のプリンタドライバには、ＬＡＮ４上に配置された、インターネットファクシミリ装置１、クライアントＰＣ２、ストレージサーバＰＣ３などの記憶装置におけるフォルダからユーザ毎に選択されたフォルダのパスが登録される。ユーザがセキュアプリントを行う場合には、クライアントＰＣ２において、プリンタドライバによって、アプリケーションデータに基づいてＴＩＦＦ形式の印刷データが生成され、生成された印刷データが、プリンタドライバに登録されているパスによって特定される当該ユーザが専用するフォルダに記憶される。
【００９１】
インターネットファクシミリ装置１には、ユーザ毎に、ユーザＩＤと当該ユーザの印刷データを記憶するフォルダのパスが記憶されている。ユーザがセキュアプリントを行う場合には、インターネットファクシミリ装置１にユーザＩＤを入力することによって、印刷データを記憶しているフォルダを指定する。そして、パスワードを入力することによって当該フォルダへのアクセスの認証を受け、当該フォルダから印刷する印刷データを選択し、印刷を行う。
【００９２】
したがって、ユーザは、インターネットファクシミリ装置１の設置場所に赴き、その場所で即座に印刷データを印刷して印刷物（記録紙）を手にすることができるので、印刷物が他人の目に触れたり、他人によって持ち去られることを防止できるので印刷物の機密性を保護することができる。
【００９３】
また、印刷データを記憶しているフォルダの場所を秘匿しておけば、ユーザ以外の人間が印刷データの存在を知り、当該印刷データを印刷したりすることを防止できるので、印刷データの機密性を保護することができる。
【００９４】
さらに、印刷データを記憶するフォルダはパスワードによるアクセス制限が設定されているので、ユーザ以外のパスワードを知らない人間によって印刷データが印刷されることを防止できるので、印刷データの機密性を保護することができる。
【００９５】
また、印刷データを記憶するフォルダの存在場所は、インターネットファクシミリ装置１、クライアントＰＣ２、ストレージサーバＰＣ３などに分散されるので、インターネットファクシミリ装置１などがクラッキングされた場合にも、印刷データの記憶場所の特定が容易でなく、印刷データが奪われ難いので、印刷データの機密性を保護することができる。
【００９６】
さらに、印刷データを記憶するフォルダの存在場所は、インターネットファクシミリ装置１、クライアントＰＣ２、ストレージサーバＰＣ３などに分散されるので、インターネットファクシミリ装置１に集中して印刷データを記憶する必要がなく、インターネットファクシミリ装置１が備える記憶装置の記憶容量の大容量化を防止することができる。
【００９７】
なお、本発明の実施形態は上述の形態に限らず、種々に変更してもよい。例えば、上述の実施形態では、印刷データをパスワードによるアクセス制限が設定されたフォルダに記憶する形態としたが、印刷データを記憶するフォルダはアクセス制限が設定されたフォルダには限られない。ユーザは、ＬＡＮ４上に配置されたインターネットファクシミリ装置１、クライアントＰＣ２、ストレージサーバＰＣ３などに存在する任意のフォルダを選択して印刷データを記憶させることができるので、印刷データを記憶するフォルダの場所を秘匿することによって印刷データの機密性を高めることができる。この場合、インターネットファクシミリ装置１で印刷データを行う際に、ユーザＩＤによって印刷データを記憶しているフォルダを特定するのではなく、ユーザがフォルダの場所を入力するようにすることによってフォルダを特定するようにするとよい。印刷データを記憶するフォルダには、アクセス制限が設定されたフォルダとアクセス制限が設定されていないフォルダの両方が存在するようにしてもよい。
【００９８】
また、クライアントＰＣ２において、プリンタドライバで生成した印刷データを登録されているフォルダに記憶させる際に、当該フォルダ内に既に印刷データなどのデータが存在するか否かを検知し、存在する場合には、その旨を知らせる警告を行い、フォルダ内に存在するデータの一覧を表示して、不要なデータをユーザにフォルダから消去させるようにしてもよい。このようにすれば、インターネットファクシミリ装置１で、指定されたフォルダに記憶されている印刷データを一括して印刷する場合でも、不要な印刷データなどが印刷されることを防止することができる。
【００９９】
さらに、クライアントＰＣ２において、プリンタドライバが、アプリケーションソフトウェアによって作成したアプリケーションデータに基づいて印刷データを生成する際に、アプリケーションソフトウェア名、ファイル名、生成年月日などの属性情報を印刷データに付加するようにしてもよい。
【０１００】
また、印刷データのデータ形式は、ＴＩＦＦ形式に限られず、どのような形式であってもよく、例えば、ＰＤＦ（Portable Document Format）形式であってもよい。
【０１０１】
さらに、インターネットファクシミリ装置１においてセキュアプリントを行う際には、ユーザＩＤとパスワードとを入力して、印刷する印刷データを記憶しているフォルダの特定や当該フォルダについてのアクセス認証をすることとしたが、インターネットファクシミリ装置１の使用に際してネットワーク認証を行う場合には、インターネットファクシミリ装置１に対する操作を開始する際のログイン時に入力されたユーザＩＤとパスワードとを使用して、フォルダの特定及びアクセス認証をするようにしてもよい。
【０１０２】
また、インターネットファクシミリ装置１に対してユーザＩＤを入力することによって、当該ユーザの印刷データを記憶しているフォルダを特定することとしたが、インターネットファクシミリ装置１にユーザ毎にセキュアプリントキーを設け、当該キーを操作することによって当該ユーザに対応するフォルダを特定するようにしてもよい。しかし、印刷データを記憶しているフォルダを秘匿してセキュアプリントにおける機密性をより高いものとするためには、ユーザがユーザＩＤを入力するようにすることがより好ましい。
【０１０３】
さらに、インターネットファクシミリ装置１にセキュアプリントキーを１つだけ設け、当該キーを操作することによって所定のフォルダが特定され、ユーザは当該フォルダ内に存在するフォルダから、アクセス制限が設定された自分に専用のフォルダを選択することによって印刷データを指定するようにしてもよい。
【０１０４】
なお、上述の実施形態では、セキュアプリントについてのみ説明したが、インターネットファクシミリ装置１は、クライアントＰＣ２からＰＤＬ（Page Description Language）などによって記述された印刷データを直接的に受信し、受信した印刷データを通常に印刷することができるようにしてもよいことは言うまでもない。
【産業上の利用可能性】
【０１０５】
本発明は、例えば、セキュアプリントを行う装置及びシステムに適用可能である。
【図面の簡単な説明】
【０１０６】
【図１】本発明に係る印刷システムの構成例を示すブロック図である。
【図２】本発明に係る画像形成装置の一例としてのインターネットファクシミリ装置１の構成例を示すブロック図である。
【図３】本発明に係る電子演算装置の一例としてのクライアントＰＣ２及びストレージサーバ３の構成例を示すブロック図である。
【図４】印刷データを記憶させるフォルダを登録する場合に、クライアントＰＣ２のＣＰＵ２０１が実行する処理の例を説明するフローチャートである。
【図５】インターネットファクシミリ装置１に対して、印刷データを記憶させるフォルダの登録を行う場合に、インターネットファクシミリ装置１のＣＰＵ１０１が実行する処理の例を説明するフローチャートである。
【図６】セキュアプリントを行うために、印刷データをＬＡＮ４によって構成されるネットワーク上のフォルダに記憶させる場合に、当該ユーザが使用するクライアントＰＣ２のＣＰＵ２０１が実行する処理の例を説明するフローチャートである。
【図７】インターネットファクシミリ装置１に対してセキュアプリントを行う指示を行った場合に、インターネットファクシミリ装置１のＣＰＵ１０１が実行する処理の例を説明するフローチャートである。
【図８】がインターネットファクシミリ装置１に対してセキュアプリントを行う指示を行った場合に、インターネットファクシミリ装置１のＣＰＵ１０１が実行する処理の例を説明するフローチャートである。
【符号の説明】
【０１０７】
１      インターネットファクシミリ装置（画像形成装置）
１０１    ＣＰＵ
１０２    ＲＯＭ
１０３    ＲＡＭ
１０４    操作部
１０５    報知部
２        クライアントＰＣ（電子演算装置、電子機器装置）
２０１    ＣＰＵ２０１
２０２    ＲＯＭ
２０３    ＲＡＭ
２０４    ＨＤＤ
２０５    操作部
２０６    表示部
【図１】
2008005023.tif 000003
【図２】
2008005023.tif 000004
【図３】
2008005023.tif 000005
【図４】
2008005023.tif 000006
【図５】
2008005023.tif 000007
【図６】
2008005023.tif 000008
【図７】
2008005023.tif 000009
【図８】
2008005023.tif 000010